(57)【要約】【課題】主として画像処理における無駄をなくして処理時間の短縮と、構成の簡素化によるコストダウンとを図ることのできる画像形成装置を提供すること。【解決手段】本複合機１は、Ｒ，Ｇ，Ｂの画像データをカラーで読み取ることのできるスキャナ部５１と、この読み取られたカラーの画像データを格納するＨＤＤ１０５と、この格納された画像データに所定の画像処理を施す画像処理部１０３と、この画像処理後の画像データをモノクロームで印刷するＬＳＵ１０４とを備え、画像処理部１０３が、スキャナ部５１で読み取られたＲ，Ｇ，Ｂの画像データに含まれるＧの画像データについてのみ処理するように構成されている。【選択図】        図２
2004282317.tif 000002
【特許請求の範囲】
【請求項１】
画像データをカラーで読み取ることのできる画像読取部と、読み取られたカラーの画像データを記憶する記憶部と、この記憶された画像データに所定の画像処理を施す画像処理部と、この画像処理後の画像データを用いてモノクロームで印刷する画像印刷部とを備えた画像形成装置であって、
上記画像処理部が、画像読取部で読み取られたカラーの画像データの構成色よりも少ない色の画像データについて画像処理を施すとともに、上記画像印刷部が、この処理された画像データを用いて上記モノクロームでの印刷を行なうように構成したことを特徴とする画像形成装置。
【請求項２】
上記画像処理部における画像処理の対象となる画像データとして、赤色の画像データ、緑色の画像データ及び青色の画像データのいずれか１の画像データを用いることを特徴とする請求項１記載の画像形成装置。
【請求項３】
上記画像処理部における画像処理の対象となる画像データとして、緑色の画像データを用いることを特徴とする請求項１記載の画像形成装置。
【請求項４】
ネットワーク接続されているコンピュータとの間で通信可能なネットワーク通信部をさらに備え、上記画像処理部で赤色の画像データ、緑色の画像データ及び青色の画像データを用いて画像処理された画像データをこのネットワーク通信部で上記コンピュータに送信することを特徴とする請求項１〜３のいずれかに記載の画像形成装置。
【発明の詳細な説明】
【０００１】
【発明の属する技術分野】
本発明は、画像データをカラーで読み取ることのできる画像読取部と、読み取られたカラーの画像データを記憶する記憶部と、この記憶された画像データに所定の画像処理を施す画像処理部と、この画像処理後の画像データを用いてモノクロームで印刷する画像印刷部とを備えた画像形成装置に関するものである。
【０００２】
【従来の技術】
近年のネットワーク技術の目覚しい発展により、ローカルなコピー機能に加えて、ネットワーク接続されたコンピュータにも処理画像を送信することができる、いわゆるネットワークスキャナ機能を有する複合機が開発されている（例えば、特許文献１参照）。
【０００３】
ここでは、ネットワーク接続されているコンピュータのアドレス情報が複合機に送られ、複合機がその情報をプリントアウトしてスキャニングを行い、転送先のコンピュータとして認識する。その後、複合機の原稿読取部で原稿をスキャンし、画像データを上記認識したコンピュータに転送するようになっている。
【０００４】
一般に、その複合機で行うローカルなコピーの場合は、スキャナからの入力データは所定の画像処理が施されて、例えば６００ｄｐｉの２値の画像データとなり、この画像データが複合機のコピー部に送られて印刷されていたが、ネットワークスキャナの場合は、スキャナからの入力データはユーザが指示した解像度（例えば２００ｄｐｉ）にまで圧縮処理され（等倍もある）、この圧縮処理された各色２６５値の画像データを、バッファメモリに格納した後、ネットワークを介してコンピュータに送られる。
【０００５】
この場合、ネットワークスキャナのスキャンスピードを上げようとすると、大量のデータをネットワーク経由でコンピュータに短時間で送ることになり、そのネットワーク性能を超えてしまう。したがって、ネットワークスキャナ用のデータをそのまま送らずに、ハードディスク（ＨＤＤ）に格納し、ユーザが必要なデータをその時々に読み出して、この読み出されたデータのみをネットワーク経由でコンピュータに送ることが好ましい。また、このときに、上記ＨＤＤに格納された、上記ネットワークスキャン用のデータを、複合機のコピー部を用いてそのままコピー用のデータとして使用したい場合もある。
【０００６】
【特許文献１】
特開平９−２１９７６１号公報
【０００７】
【発明が解決しようとする課題】
ところで、複合機によっては、カラースキャナと、モノクロームのコピー部とを備えたものがあり、そのスキャナで読み取ったカラーの画像データを、モノクロームでコピーすることがある。従来は、そのような場合でも、フルカラーデータのまま所定の画像処理を施していたため、その処理には無駄が多く、本来モノクロームでのコピーに必要とされるよりも多くの処理時間がかかり、その構成もより高価なものとなっていた。
【０００８】
すなわち、ネットワークスキャナ用のデータは通常カラーデータであるが、複合機がモノクロームでのコピーしかできない場合には、両データは異なるものとなる。また、ネットワーク用スキャナのデータの解像度はユーザが任意に指定できるので、そのデータが一定の解像度しか持たない上記コピー用データとは異なるものとなっていることがある。
【０００９】
したがって、従来は、ネットワークスキャナ用のデータをそのままコピー用データとして使用できないことがあった。このため、上述したように、従来は、ネットワークスキャナ用データとコピー用データとを別個にもたざるをえず、この点でも無駄が多かった。
【００１０】
本発明は、上述した問題点を解決するためになされたものであり、主として画像処理における無駄をなくして処理時間の短縮と、構成の簡素化によるコストダウンとを図ることのできる画像形成装置を提供することを目的とする。
【００１１】
【課題を解決するための手段】
上記目的を達成するために本発明は、画像データをカラーで読み取ることのできる画像読取部と、読み取られたカラーの画像データを記憶する記憶部と、この記憶された画像データに所定の画像処理を施す画像処理部と、この画像処理後の画像データを用いてモノクロームで印刷する画像印刷部とを備えた画像形成装置であって、上記画像処理部が、画像読取部で読み取られたカラーの画像データの構成色よりも少ない色の画像データについて画像処理を施すとともに、上記画像印刷部が、この処理された画像データを用いて上記モノクロームでの印刷を行なうように構成したことを特徴とするものである。
【００１２】
上記構成によれば、画像読取部で読み取られたカラーの画像データの構成色よりも少ない色の画像データについて画像処理が施され、この処理された画像データを用いてモノクロームでの印刷が行なわれるので、画像処理にかかる時間が本来モノクロームでのコピーに必要とされる時間近くまで短縮されるので、画像処理の無駄がなくなる。また、その構成もより単純化されるので、その単純化された構成によりコストダウンを図ることもできる。
【００１３】
請求項２記載の発明のように、上記画像処理部における画像処理の対象となる画像データとして、赤色の画像データ、緑色の画像データ及び青色の画像データのいずれか１の画像データを用いることとすれば、その画像処理部は、赤，緑，青色の画像データのいずれか１に対して要求される処理能力を有することで足り、安価な構成となる。
【００１４】
ところで、カラースキャナの各色素子の配列上、緑色の画像データだけでも、元の画像の識別性がほぼ維持されることが知られている。そこで、請求項３記載の発明のように、上記画像処理部における画像処理の対象となる画像データとして、緑色の画像データを用いることとすれば、さらに安価な構成となる。
【００１５】
請求項４記載の発明のように、ネットワーク接続されているコンピュータとの間で通信可能なネットワーク通信部をさらに備え、上記画像処理部で赤色の画像データ、緑色の画像データ及び青色の画像データを用いて画像処理された画像データをこのネットワーク通信部で上記コンピュータに送信することとすれば、コンピュータにネットワーク経由で送られる画像データが大幅に減少するので、そのネットワーク性能を超えるおそれがなくなる。また、ネットワークスキャナ用データとコピー用データとを別個にもつ必要がなくなるので、この点でも無駄がなくなる。
【００１６】
【発明の実施の形態】
以下、本発明の一実施形態に係る画像形成装置について図面を参照して説明する。図１は画像形成装置の一例である複合機の内部構成を概略的に示す側面図である。複合機１は、ファクシミリ機能、コピー機能、プリンタ機能、スキャナ機能等の機能を兼ね備えており、本体部２と、本体部２の左方に配設されたスタックトレイ３と、本体部２の上部に配設された原稿読取部５と、原稿読取部５の上方に配設された原稿給送部６とを有している。
【００１７】
また、複合機１のフロント部には、操作部４７が設けられている。この操作部４７には、ユーザが印刷実行指示を入力するためのスタートキー４７１と、後述するＨＤＤ（Ｈａｒｄ  Ｄｉｓｋ  Ｄｒｉｖｅ  Ｕｎｉｔ）に格納されている画像データの選択、その解像度（画像圧縮率）の指定、さらには印刷部数等を入力するためのテンキー４７２と、同画像データの内容、各種複写動作の操作ガイド情報等を表示し、これら各種設定入力用にタッチパネル機能を有する液晶ディスプレイ等からなる表示部４７３と、表示部４７３で設定された設定内容等をリセットするリセットキー４７４と、実行中の印刷（画像形成）動作を停止させるためのストップキー４７５と、コピー機能、プリンタ機能、スキャナ機能及びファクシミリ機能を切り換えるための機能切換キー４７７が備えられている。
【００１８】
原稿読取部５は、ＣＣＤ（Ｃｈａｒｇｅ  Ｃｏｕｐｌｅｄ  Ｄｅｖｉｃｅ）センサ及び露光ランプ等からなるスキャナ部（画像読取部に相当する。）５１と、ガラス等の透明部材により構成された原稿台５２及び原稿読取スリット５３とを備える。スキャナ部５１は、図略の駆動部によって移動可能に構成され、原稿台５２に載置された原稿を読み取るときは、原稿台５２に対向する位置で原稿面に沿って移動され、原稿画像を走査しつつ取得した画像データを後述するＣＰＵ（Ｃｅｎｔｒａｌ  Ｐｒｏｃｅｓｓｉｎｇ  Ｕｎｉｔ）等へ出力する。また、原稿給送部６により給送された原稿を読み取るときは、原稿読取スリット５３と対向する位置に移動され、原稿読取スリット５３を介して原稿給送部６による原稿の搬送動作と同期して原稿の画像を取得し、その画像データを上記ＣＰＵ等へ出力する。
【００１９】
原稿給送部６は、原稿を載置するための原稿載置部６１と、画像読み取り済みの原稿を排出するための原稿排出部６２と、原稿載置部６１に載置された原稿を１枚ずつ繰り出して原稿読取スリット５３に対向する位置へ搬送し、原稿排出部６２へ排出するための給紙ローラ（図略）、搬送ローラ（図略）等からなる原稿搬送機構６３を備える。原稿搬送機構６３は、さらに原稿を表裏反転させて原稿読取スリット５３と対向する位置へ再搬送する用紙反転機構（図略）を備え、原稿の両面の画像を原稿読取スリット５３を介してスキャナ部５１から読取可能にしている。
【００２０】
また、原稿給送部６は、その前面側が上方に移動可能となるように本体部２に対して回動自在に設けられている。原稿給送部６の前面側を上方に移動させて原稿台５２上面を開放することにより、原稿台５２の上面に読み取り原稿、例えば見開き状態にされた書籍等を操作者が載置できるようになっている。
【００２１】
本体部２は、複数の給紙カセット４６１と、給紙カセット４６１から記録紙Ｐを１枚ずつ繰り出して記録部４０へ搬送する給紙ローラ４６２と、給紙カセット４６１から搬送されてきた記録紙Ｐに画像を形成する記録部４０とを備える。
【００２２】
記録部（画像印刷部に相当する。）４０は、スキャナ部５１で取得された画像データに基づき例えばレーザ光を出力して感光体ドラム４３を露光するＬＳＵ（Ｌａｓｅｒ  Ｓｃａｎｎｉｎｇ  Ｕｎｉｔ）４２と、感光体ドラム４３上にトナー像を形成する現像部４４と、感光体ドラム４３上のトナー像を記録紙Ｐに転写する転写部４１と、トナー像が転写された記録紙Ｐを加熱してトナー像を記録紙Ｐに定着させる定着部４５と、記録部４０内の用紙搬送路中に設けられ、記録紙Ｐをスタックトレイ３又は排出トレイ４８まで搬送する搬送ローラ４６３，４６４等とを備える。
【００２３】
また、記録紙Ｐの両面に画像を形成する場合は、記録部４０で記録紙の一方の面に画像を形成した後、この記録紙Ｐを排出トレイ４８側の搬送ローラ４６２にニップされた状態とする。この状態で搬送ローラ４６３を反転させて記録紙Ｐをスイッチバックさせ、記録紙Ｐを用紙搬送路Ｌに送って記録部４０の上流域に再度搬送し、記録部４０により他方の面に画像を形成した後、記録紙Ｐをスタックトレイ３又は排出トレイ４８に排出する。
【００２４】
図２は複合機１まわりの電気的構成の概略を示す機能ブロック図である。
【００２５】
図２に示すように、複合機１には、全体の動作制御を行うＣＰＵ１０１と、スキャナ部５１と、スキャナ部５１で読み込んだ画像データを一時的に記憶するメモリ１０２と、メモリ１０２に一時的に記憶された画像データを読み出してそれに所定の画像処理を施す画像処理部１０３と、画像処理後の画像データを感光ドラム上の記録紙Ｐに記録させるためのレーザスキャンを行うＬＳＵ４２と、画像データを格納する大容量記憶手段であるＨＤＤ（記憶部に相当する。）１０５と、ＨＤＤ１０５に格納された画像データの圧縮伸張処理を行うＣＯＤＥＣ（Ｃｏｍｐｒｅｓｓｉｏｎ  Ｄｅｃｏｍｐｒｅｓｓｉｏｎ  Ｕｎｉｔ）１０６と、ネットワーク接続を行うためのインターフェースであるＮＩＣ（Ｎｅｔｗｏｒｋ  Ｉｎｔｅｒｆａｃｅ  Ｃａｒｄ）１０７とが、バス１０８で電気的に接続されてなっている。そして、ＮＩＣ１０７は、さらにネットワーク１０９を介して外部のＰＣ（Ｐｅｒｓｏｎａｌ  Ｃｏｍｐｕｔｅｒ）１１０に接続されている。このうちの画像処理部１０３は、本発明の特徴となるもので、ズーム処理部１０３ａと、フィルタ処理部１０３ｂと、階調処理部１０３ｃとからなっている。
【００２６】
本実施形態では、大量の読み取り指示があった場合には、スキャン部５１で読み取られた画像データはメモリ１０２に入り、この画像データが等倍のフルカラーデータとしてＨＤＤ１０５に格納されるようになっている。ただし、ＣＯＤＥＣ１０６で圧縮処理した上でＨＤＤ１０５に格納し、その画像データの読み出し時にＣＯＤＥＣ１０６で解凍処理するようにしてもよい。
【００２７】
そして、ユーザが操作部４７のテンキー４７２等を操作して、ＨＤＤ１０５に格納された等倍のフルカラーデータの中から、任意の画像データを選択し、ＰＣ１１０への転送を選択すると、その選択されたフルカラーデータのうちの赤色（Ｒ），緑色（Ｇ），青色（Ｂ）のいずれか１色の画像の画像データが画像処理部１０３に送られる。ここでユーザが操作部４７のテンキー４７２等をさらに操作して、その画像データの解像度を指示すると、ズーム処理部１０３ａが、その指示された解像度で、上記画像データについて縮小処理するようになっている。
【００２８】
一方、ユーザが操作部４７のテンキー４７２等を操作して、ＨＤＤ１０５に格納された等倍のフルカラーデータの中から、任意の画像データを選択し、記録部４０での印刷を選択すると、この選択されたフルカラーデータのうちの緑色（Ｇ）の画像の画像データが画像処理部１０３に送られる。ここでは、ズーム処理部１０３ａによるズーム処理は行わず、フィルタ処理部１０３ｂによるフィルタ処理、階調処理部１０３ｃによる階調処理を行うことにより、所定の画像処理が施され、その画像処理後の画像データがＬＳＵ４２に送られて、記録紙Ｐ上にモノクロームでの印刷が行われるようになっている。
【００２９】
次に、複合機１の概略動作について説明する。図３は本複合機による画像読み込み時の概略動作を示す工程図、図４は本複合機によるネットワークスキャナ時の概略動作を示す工程図、図５は本複合機による印刷時の概略動作を示す工程図である。
【００３０】
まず、ＣＰＵ１０１の制御下、スキャナ部５１によって画像読み込みを行う。この場合には、ユーザによる操作部４７のスタートキー４７１の押下によりコピー開始指示が入力されると、図３に示すように、原稿給送部６により原稿がスキャナ部５１に搬送されて原稿上の画像が読み取られる（工程＃１）。読み取られた原稿の画像データは、赤色（Ｒ），緑色（Ｇ），青色（Ｂ）の三原色のカラーデータからなり、これらの画像データは、そのままメモリ１０２に書き込まれる（工程＃２）。そして、メモリ１０２に書き込まれた画像データはそのままＨＤＤ１０５に送出され、ここに格納される（工程＃３）。したがって、このＨＤＤ１０５に格納された画像データは、等倍のフルカラーデータとなっている。
【００３１】
本複合機１では、ユーザによる操作部４７の操作によって、ネットワークスキャナとして動作させることができる。この場合、図４において、ＨＤＤ１０５には画像データ（等倍のフルカラーデータである。）が格納されている（工程＃１１）。ユーザが操作部４７のテンキー４７２等を操作して、この格納された画像データの中から１の画像データを選択したとすると、この選択された１の画像データの中から、まずＲの画像データのみが読み出され、このＲの画像データが画像処理部１０３に送られる。ここで、ユーザが操作部４７のテンキー４７２等を操作して、Ｒの画像データの解像度を指定したとすると、この指定された解像度に応じてＲの画像データがズーム処理部１０３ａによって縮小処理される（工程＃１２）。そして、この縮小処理されたＲの画像データがＨＤＤ１０５の元データと置き換わる（工程＃１３）。
【００３２】
ついで、ＨＤＤ１０５に格納された画像データの中からＧの画像データのみが読み出され、このＧの画像データが画像処理部１０３に送られる。ここで、ユーザが操作部４７のテンキー４７２等を操作して、Ｇの画像データの解像度を指定したとすると、この指定された解像度に応じてＧの画像データがズーム処理部１０３ａによって縮小処理される（工程＃１４）。そして、この縮小処理されたＧの画像データがＨＤＤ１０５の元データと置き換わる（工程＃１５）。
【００３３】
ついで、ＨＤＤ１０５に格納された画像データの中からＢの画像データのみが読み出され、このＢの画像データが画像処理部１０３に送られる。ここで、ユーザが操作部４７のテンキー４７２等を操作して、Ｂの画像データの解像度を指定したとすると、この指定された解像度に応じてＢの画像データがズーム処理部１０３ａによって縮小処理される（工程＃１６）。そして、この縮小処理されたＢの画像データがメモリ１０２の元データと置き換わる（工程＃１７）。
【００３４】
このようにして、先に選択された１の画像データのすべてが縮小処理された画像データに置き換わった状態でメモリ１０２に送られると、このメモリ１０２上でＲ，Ｇ，Ｂの合成画像が展開される（工程＃１８）。この合成画像の画像データがＣＯＤＥＣ１０６に送られて圧縮処理され（工程＃１９）、圧縮処理後の画像データがＮＩＣ１０７にさらに送られる（工程＃２０）。そして、その画像データがネットワーク１９を介してＰＣ１１０に送信される（工程＃２１）。
【００３５】
そして、本複合機１では、記録部４０によって記録紙Ｐにモノクロームでの印刷を行うようになっている。この場合、図５において、ＨＤＤ１０５には画像データ（等倍のフルカラーデータである。）が格納されている（工程＃３１）。ユーザが操作部４７のテンキー４７２等を操作して、この格納された画像データの中から１の画像データを選択したとすると、この選択された１の画像データの中から、Ｇの画像データのみが読み出され、このＧの画像データが画像処理部１０３に送られる。ここで、そのＧの画像データがフィルタ処理部１０３ｂによってフィルタ処理され、階調処理部１０３ｃによって階調処理されることにより、印刷出力用のプリントデータが生成される（工程＃３２）。そして、この生成されたプリントデータがＬＳＵ４２に送出されると、上記記録部４０によって一連の印刷処理がなされる（工程＃３３）。
【００３６】
したがって、この複合機１によれば、スキャナ部５１で読み取られたカラーの画像データの構成色よりも少ない色の画像データについて画像処理が施され、記録部４０でこの処理された画像データを用いてモノクロームでの印刷が行なわれるので、画像処理にかかる時間が本来モノクロームでのコピーに必要とされる時間近くまで短縮されるので、画像処理の無駄がなくなる。また、その構成もより単純化されるので、その単純化された構成によりコストダウンを図ることもできる。
【００３７】
ところで、カラースキャナにおける各色素子の配列等の理由によって、Ｇの画像データだけでも、元の画像の識別性がほぼ維持されることが知られている。そこで、本複合機１では、画像処理部１０３における画像処理の対象となる画像データが、Ｇの画像データに固定されて処理されるようにしているので、安価な構成とすることができる。
【００３８】
なお、本複合機１では、ネットワークスキャナ機能を有するので、Ｒ，Ｇ，Ｂの画像データが必要である。しかしながら、その場合でも、画像処理部１０３における画像処理の対象となる画像データが、Ｒの画像データ、Ｇの画像データ及びＢの画像データのいずれか１に切り換えられて、各色の画像データ単位で処理されることとしているので、画像処理部１０３は、Ｒ，Ｇ，Ｂの画像データのいずれか１に対して要求される処理能力を有することで足り、上記と同様に安価な構成とすることができる。また、本複合機１では、ネットワークスキャナ用データとローカルなコピー用データとを別個にもつ必要がなくなるので、この点でも無駄がなくなる。
【００３９】
さらに、ネットワークスキャナ機能の使用時において、従来の画像データのすべてを送信する場合と比べて、本複合機１では、その１つの画像データ（１つのＲの画像データと、１つのＧの画像データと、１つのＢの画像データとを合成した画像データ）をユーザが選択して送信するので、ＰＣ１１０にネットワーク１０９経由で送られる画像データの情報量が大幅に減少し、ネットワーク性能を超えるおそれがなくなる。
【００４０】
なお、上記実施形態では、画像処理部１０３による画像処理の対象となる画像データを、Ｒ，Ｇ，Ｂのいずれか１つであるとしているが、本発明では必ずしもこの１色に限定せず、少なくともスキャナ部５１で読み取られたカラーの画像データの構成色よりも少ない色であれば足りる。その場合でも、上記したように画像処理における無駄を少なくすることができる。
【００４１】
また、上記実施形態では、ネットワークスキャナとして使用するときには、Ｒ，Ｇ，Ｂの画像をメモリ１０２内で合成し、この合成された画像データをＣＯＤＥＣ１０６で圧縮処理した上でネットワーク１０９を介してＰＣ１１０に送るようにしているが、各色単位で画像データを送ることとしてもよい。その場合には、さらに送信される画像データの情報量が減少して，ネットワーク性能に対する負担が軽減される。
【００４２】
また、上記実施形態では、画像形成装置として、複合機１について説明したが、本発明の適用範囲はこれに限定されず、例えばネットワークスキャン機能を備えていない、通常の複写機等にも適用できることはもちろんである。
【００４３】
【発明の効果】
以上のように本発明によれば、画像読取部で読み取られたカラーの画像データの構成色よりも少ない色の画像データについて画像処理が施され、この処理された画像データを用いてモノクロームでの印刷が行なわれるので、画像処理にかかる時間が本来モノクロームでのコピーに必要とされる時間近くまで短縮されるので、画像処理の無駄がなくなる。また、その構成もより単純化されるので、その単純化された構成によりコストダウンを図ることもできる。
【図面の簡単な説明】
【図１】本発明の画像形成装置の一例である複合機の内部構成を概略的に示す側面図である。
【図２】本複合機まわりの電気的構成の概略を示す機能ブロック図である。
【図３】本複合機による画像読み込み時の概略動作を示す工程図である。
【図４】本複合機によるネットワークスキャナ時の概略動作を示す工程図である。
【図５】本複合機による印刷時の概略動作を示す工程図である。
【符号の説明】
１    複合機（画像形成装置）
４０  記録部（画像印刷部）
４２  ＬＳＵ
５１  スキャナ部（画像読取部）
１０１  ＣＰＵ
１０２  メモリ
１０３  画像処理部
１０５  ＨＤＤ（記憶部）
１０６  ＣＯＤＥＣ
１０７  ＮＩＣ（ネットワーク通信部）
１０８  バス
１０９  ネットワーク
１１０  ＰＣ（コンピュータ）
【図１】
2004282317.tif 000003
【図２】
2004282317.tif 000004
【図３】
2004282317.tif 000005
【図４】
2004282317.tif 000006
【図５】
2004282317.tif 000007